(57)【要約】      （修正有） 【課題】電子機器に配置された電子部品の損傷を防止するために、接続線を保持するように構成された支持部材を有する支持機構を提供する。【解決手段】係止面１１、第１の側壁１３、および第２の側壁１５を有し、係止面は、第１の側壁と第２の側壁の間に接続され、第１の側壁と第２の側壁は係止面とは平行ではない本体１０と、係止面に固定され、接続線ＣＬに接続された端子２０、および第１の側壁および第２の側壁に接続され、且つ第１の側壁と第２の側壁から、係止面から離れる方向に延伸する支持部材３０とを含む。端子または接続線は、支持部材に載置される。【選択図】図３
0003230949.tif 000002
【実用新案登録請求の範囲】
【請求項１】
係止面、第１の側壁、および第２の側壁を有し、前記係止面は、前記第１の側壁と前記第２の側壁の間に接続され、前記第１の側壁と前記第２の側壁は前記係止面とは平行ではない本体、
前記係止面に固定され、接続線に接続された端子、および
前記第１の側壁および前記第２の側壁に接続され、且つ前記第１の側壁と前記第２の側壁から、前記係止面から離れる方向に延伸し、前記端子または前記接続線は、前記支持部材に載置される支持部材を含む支持機構。
【請求項２】
前記第１の側壁に第１の孔が形成され、前記第２の側壁に第２の孔が形成され、且つ前記支持部材は、前記第１の孔および前記第２の孔に配置されることを特徴とする請求項１に記載の支持機構。
【請求項３】
複数の溝が前記第１の側壁および前記第２の側壁にそれぞれ形成され、且つ前記溝は、前記第１の孔および前記第２の孔のうちの一つに延伸することを特徴とする請求項２に記載の支持機構。
【請求項４】
前記本体は、前記第１の側壁および前記第２の側壁にそれぞれ配置された複数のブラケットをさらに含み、且つ前記支持部材は前記ブラケットに載置されることを特徴とする請求項１に記載の支持機構。
【請求項５】
前記ブラケットと前記本体は一体成型で形成されることを特徴とする請求項４に記載の支持機構。
【請求項６】
前記ブラケットは、着脱可能に前記第１の側壁および前記第２の側壁に配置されることを特徴とする請求項４に記載の支持機構。
【請求項７】
前記支持部材は、
前記第１の側壁に接続される第１のセクション、
前記第２の側壁に接続される第２のセクション、および
前記第１のセクションと前記第２のセクションの間に配置され、且つ前記第１のセクションおよび前記第２のセクションに接続され、前記端末または前記接続線は、前記支持セクションに載置される支持セクションを含むことを特徴とする請求項１に記載の支持機構。
【請求項８】
前記支持セクションは、前記第１のセクションまたは前記第２のセクションに垂直に接続されることを特徴とする請求項７に記載の支持機構。
【請求項９】
前記第１のセクションおよび前記第２のセクションは、前記係止面に対して垂直ではないことを特徴とする請求項７に記載の支持機構。
【請求項１０】
前記係止面に開口が形成され、且つ前記端子が前記開口内に固定されることを特徴とする請求項１に記載の支持機構。
【考案の詳細な説明】
【技術分野】
【０００１】
本出願は、２０１９年９月４日に出願された中国実用新案出願番号第２０１９２１４６２１２４．６号についての優先権を主張するものであり、これらの全ては引用によって本願に援用される。
【０００２】
本考案は、支持機構に関するものであり、特に、接続線を保持するように構成された支持部材を有する支持機構に関するものである。
【背景技術】
【０００３】
科学技術の発展に伴い、さまざまな産業で電子機器の使用がますます一般的になっている。電子機器を正常に動作させるために、ケーブルを用いて電子機器の入力および／または出力端子を接続し、入出力端子間で相互に電気信号を伝送している。しかしながら、ケーブルは入力および／または出力端子のみを介して電子機器に接続され、かつケーブルの重量が電子機器に固定された入力および／または出力端子にストレスをかける可能性がある。したがって、入力および／または出力端子が破損、或いは入力および／または出力端子が配置された電子機器の表面が変形する可能性がある。このようにして、電子機器はしばしば防水機能を失い、電子機器に配置された電子部品が損傷する可能性がある。したがって、前述の問題をどのように解決するかが重要な問題となる。
【考案の概要】
【考案が解決しようとする課題】
【０００４】
接続線を保持するように構成された支持部材を有する支持機構を提供する。
【課題を解決するための手段】
【０００５】
本開示のいくつかの実施形態は、本体、端子、および支持部材を含む支持機構を提供する。本体は係止面、第１の側壁、および第２の側壁を有し、係止面は、第１の側壁と第２の側壁の間に接続され、第１の側壁と第２の側壁は係止面とは平行ではない。端子は係止面に固定され、接続線は端子に接続される。支持部材は、第１の側壁および第２の側壁に接続され、且つ第１の側壁と第２の側壁から、係止面から離れる方向に延伸し、端子または接続線は、支持部材に載置される。
【０００６】
一実施形態では、第１の側壁に第１の孔が形成され、第２の側壁に第２の孔が形成され、支持部材は、第１の孔および第２の孔に配置される。一実施形態では、複数の溝が第１の側壁および第２の側壁にそれぞれ形成され、且つ溝は、第１の孔および第２の孔のうちの一つに延伸する。
【０００７】
一実施形態では、本体は、第１の側壁および第２の側壁にそれぞれ配置された複数のブラケットをさらに含み、且つ支持部材はブラケットに載置される。一実施形態では、ブラケットと本体は一体成型で形成される。一実施形態では、ブラケットは、着脱可能に第１の側壁および第２の側壁に配置される。
【０００８】
一実施形態では、支持部材は、第１のセクション、第２のセクション、および支持セクションを含む。第１のセクションは、第１の側壁に接続される。第２のセクションは、第２の側壁に接続される。支持セクションは、第１のセクションと第２のセクションの間に配置され、且つ第１のセクションおよび第２のセクションに接続され、端末または接続線は、前述の支持セクションに載置される。
【０００９】
一実施形態では、支持セクションは、第１のセクションまたは第２のセクションに垂直に接続される。一実施形態では、第１のセクションおよび第２のセクションは、係止面に対して垂直ではない。一実施形態では、係止面に開口が形成され、且つ端子が開口内に固定される。
【００１０】
本考案の上記および他の目的、特徴、および利点をより詳細に理解しやすくするために、以下に好ましい実施形態を挙げて、添付の図面と併せて詳細に説明する。
【図面の簡単な説明】
【００１１】
【図１】図１は、本開示の一実施形態による電子機器の斜視図である。
【図２】図２は、本開示の一実施形態による支持機構の斜視図である。
【図３】図３は、図２に示された支持機構の分解図を示している。
【図４】図４は、図２に示された支持機構の側面の透視図を示している。
【図５】図５は、本開示のもう1つの実施形態による本体の斜視図である。
【考案を実施するための形態】
【００１２】
以下、本考案の実施形態の支持機構について説明する。しかしながら、開示された実施形態は、多くの適切な新しい概念を提供し、多種多様な特定の状況で実施できることが容易に理解できる。開示された特定の実施形態は、特定の方法で本開示の使用を例示するためにのみ用いられ、本開示の範囲を限定するものではない。
【００１３】
また、この明細書では、関連する表現が用いられる。例えば、「下方」、または「底部」、および「上方」、または「上部」は、もう１つに対する１つの構成要素の位置を説明するのに用いられる。仮に装置が上下反転した場合、「下方」側の構成要素は、「上方」側の構成要素となる、ということが了解されるべきである。また、特に定義されない限り、説明で用いられる「高さ」という用語は、Ｚ軸上の構成要素および／または部分の位置を表している。
【００１４】
第１、第２などの用語は、ここでは各種素子、材料および／または部分を説明するのに用いることができ、これらの素子、材料および／または部分は、これらの用語によって制限されてはならず、かつこれらの用語は単に異なる素子、材料および／または部分を識別するのに用いられることが理解される。従って、第１の素子、材料および／または部分は、例示的な実施形態の技術から逸脱しない限りにおいては、第２の素子、材料および／または部分と呼ばれてもよい。
【００１５】
特に定義されなければ、本明細書で使用される全ての用語（技術的および科学的用語を含む）は、この発明が属する技術分野の当業者によって一般的に理解されるのと同じ意味を有している。さらに理解されるべき点は、一般に使用され、辞書で定義されている用語は、関連した技術分野の文脈におけるその意味と一致した意味を持つものとして解釈されるべきであり、本明細書で明確にそのように定義されない限り、理想化された、又は過度に形式的な意味で解釈されない。さらに、「実質的に」、「おおよそ」、または「約」という用語も本文内に記載されており、これらの用語は、ほぼ同じおよび完全に同じ状況または範囲を包含することを意図している。特に定義されない限り、上述の用語が説明に記載されていなくても、記載されている上述の近似用語と同じ意味として解釈されるべきであることに注意されたい。
【００１６】
図１は、本開示の一実施形態による電子機器Ｅの斜視図を示している。電子機器Ｅの内部は、様々な電子部品（コンピュータ部品、通信部品、または他の任意の種類の電子部品など）を電子機器Eの内部に配置することができ、電子機器Ｅに配置された電子部品の種類に応じて、電子機器Ｅを異なる技術分野で応用してもよいことに留意されたい。本実施形態では、１つ以上の接続線ＣＬを配置して電子機器Ｅをその他の装置と電気的に接続し、電気信号を電子機器Ｅに送信し、または電気信号を電子機器Ｅから他の場所に送信する。
【００１７】
図１に示すように、電子機器Ｅの一方側に支持機構１が配置されて接続線ＣＬを支持し、接続線ＣＬより発生した応力を分散させる。支持機構１の配置により、電子機器Ｅ（即ち、図２に示された端子２０）の接続線ＣＬが接続される場所は、接続線ＣＬの重さの影響による損傷を回避することができる。本実施形態における支持機構１の位置は一例に過ぎず、当業者は、必要に応じて、電子機器Ｅの支持機構１の位置または数を変更することができることに留意されたい。
【００１８】
図２は、本開示の一実施形態による支持機構の斜視図である。図２に示すように、支持機構１は、本体１０、端子２０、および支持部材３０を含む。本実施形態では、本体１０と電子機器Ｅは一体成型されており、即ち、本体１０は電子機器Ｅの一部である。他のいくつかの実施形態では、本体１０と電子機器Ｅは２つの異なるアセンブリである。本体１０は、電子機器Ｅに組み立てられることができ、任意の適切な方法（例えば、ネジまたは他の固定工具を用いて）で電子機器Ｅに着脱可能または非着脱可能に固定することができる。
【００１９】
本体１０は、係止面１１、第１の側壁１３、第２の側壁１５、ブラケット１７、および底面１９を含む。係止面１１は、複数の端子２０がその上に固定されるように構成され、端子２０は、入力端子および／または出力端子とすることができ、且つ接続線ＣＬは、端子２０に接合することができ、接続線ＣＬが機器Ｅの内部に配置された電子部品と電気的に接続されて、電子部品からの電気信号を送信するか、または電気信号を電子部品に送信することができる。
【００２０】
本実施形態では、第１の側壁１３および第２の側壁１５は、係止面１１に垂直であり、且つそれぞれ、本体１０の両側に位置する。言い換えれば、係止面１１は、第１の側壁１３と第２の側壁１５の間に位置する。複数のブラケット１７は、第１の側壁１３および第２の側壁１５にそれぞれ配置され、且つそれぞれ反対側に位置するもう１つのブラケット１７に面している。本実施形態では、第１の側壁１３と第２の側壁１５に位置するブラケット１７は互いに対応している。（即ち、２つの対応するブラケット１７は同じまたは実質的に同じ高さに位置している）。いくつかの実施形態では、ブラケット１７と本体１０は一体成型されており、即ち、ブラケット１７は本体１０の一部である。もう１つの実施形態では、ブラケット１７と本体１０は２つの異なるアセンブリである。ブラケット１７は、本体１０に組み立てられることができ、任意の適切な方法（例えば、ネジまたは他の固定工具を用いて）で本体１０に着脱可能または非着脱可能に固定することができる。また、本体１０の底面１９は、第１の側壁１３と第２の側壁１５の間に位置し、且つ第１の側壁１３および第２の側壁１５に垂直である。
【００２１】
図３は、図２に示された支持機構１の分解図を示している。 図３に示すように、係止面１１は、複数の開口１２を有して端子２０を配置する。即ち、端子２０は、係止面１１の開口１２内に固定される。この実施形態に示された開口部１２は、規則的に配置されているが、それらは単なる例であり、当業者は、接続線ＣＬおよび端子２０の位置および／または数に応じて、開口１２の位置および／または数を調整することができることに留意されたい。
【００２２】
第１の側壁１３は複数の第１の孔１４が形成され、第２の側壁１５は複数の第２の孔１６が形成され、且つ第１の孔１４は第２の孔１６にそれぞれ対応する（即ち、対応する第１の孔１４および第２の孔１６は、同じまたは実質的に同じ高さに位置している）。本実施形態では、第１の孔１４および第２の孔１６は貫通孔であり、即ち、第１の孔１４は第１の側壁１３を貫通し、第２の孔１６は第２の側壁１５を貫通する。他のいくつかの実施形態では、第１の孔１４および第２の孔１６はめくら穴であり、即ち、第１の孔１４は第１の側壁１３を貫通せず、且つ第２の孔１６は第２の側壁１５を貫通しない。本実施形態に示された第１の孔１４および第２の孔１６は、円形の断面を有するが（Ｚ−Ｘ平面に平行な）、それらは単なる例であり、当業者は、第１の孔１４および第２の孔１６の断面形状を任意に調整することができることを理解されたい。
【００２３】
支持部材３０は、本体１０内に配置され、且つ第１の側壁１３および第２の側壁１５に接続されて、端子２０および接続線ＣＬが支持部材３０に載置するように提供される。例えば、支持部材３０は、金属材料（ステンレス鋼など）、プラスチック材料、または十分な構造強度を有する任意の他の材料でできている。支持部材３０は、第１のセクション３１、第２のセクション３２、および支持セクション３３を含む。支持セクション３３は、第１のセクション３１と第２のセクション３２との間に位置し、且つ支持セクション３３が第１のセクション３１および第２のセクション３２と接続される場所で、支持セクション３３は、第１のセクション３１および第２のセクション３２と実質的に垂直である。
【００２４】
いくつかの実施形態では、支持部材３０は、対応するブラケット１７上に配置される。第１のセクション３１は、第１の側壁１３に接続され、且つ第１の孔１４の中の１つに配置される。第２のセクション３２は、第２の側壁１５に接続され、且つ第２の孔１６の中の１つに配置される。支持セクション３３は、端子２０または接続線ＣＬを保持するように配置される。いくつかの実施形態では、同じ支持部材３０の第１のセクション３１および第２のセクション３２は、同じ高さに位置する第１の孔１４および第２の孔１６内にそれぞれ配置される。言い換えれば、第１の側壁１３および第２の側壁１５に垂直な方向から見たとき、第１のセクション３１と第２のセクション３２は、実質的に重なっている。これにより、支持セクション３３がＸ−Ｙ平面と実質的に平行（すなわち、Ｚ軸と略垂直）となり、支セクション部３３が端子２０または接続線ＣＬを安定して保持することができ、接続線ＣＬが発生する応力を効果的に分散させることができる。
【００２５】
また、支持部材３０を第１の孔１４および第２の孔１６にスムーズに配置するために、ブラケット１７が第１の孔１４および第２の孔１６に対応して配置される。いくつかの実施形態では、ブラケット１７は、第１の孔１４および第２の孔１６を露出させる。即ち、第１の側壁１３および第２の側壁１５に垂直な方向から見たとき、ブラケット１７は、第１の孔１４および第２の孔１６と重ならない。いくつかの実施形態では、ブラケット１７の上面は、第１の孔１４および第２の孔１６の周囲に延伸する。上述の設定方法は一例に過ぎず、当業者は、任意の他の方法でブラケット１７を配置して支持部材３０を第１の孔１４および第２の孔１６内に配置することもでき、且つ支持部材３０がブラケット１７に安定して載置することができるようにする。
【００２６】
本実施形態に示された支持セクション３３は直線状であるが、本考案はこれに限定されない。当業者は、接続線ＣＬに対応する位置で支持セクション３３上に様々な形状を有する凹部（図示せず）を配置することができ、接続線ＣＬが支持セクション３３により安定して載置することができるようにする。また、接続線ＣＬの形状および／または大きさに応じて凹部の形状および／または大きさを調整することができる。
【００２７】
いくつかの実施形態では、ブラケット１７にスライドレールまたは溝（図示せず）が配置されて、第１のセクション３１および／または第２のセクション３２を収容し、支持部材３０が本体１０内に安定して配置することができるようにする。いくつかの実施形態では、支持部材３０は、第１のセクション部分３１および第２のセクション部分３２が支持セクション３３と接続される場所で可撓性を有することができる。例えば、第１のセクション３１および第２のセクション３２は、支持セクション３３に向かって内側に曲げられ、支持部材３０を本体１０内により容易に配置することができる。また、図３に示されるように、支持部材３０は、本体１０の底面１９に直接配置されてもよい。本実施形態では、本体１０は長方形として示されているが、これは一例に過ぎないことを理解されたい。当業者は、必要（例えば、電子機器Ｅの外観、接続線ＣＬの実際の数または位置）に応じて本体１０の形状を調整することができる。
【００２８】
図４は、第１の側壁１３に垂直な方向から見た支持機構１の側面の透視図を示している。支持機構１の内部構造を明確に示すために、本体１０は透明なものとして描かれ、点線で示されている。図４に示すように、本実施形態の端子２０は、支持部材３０に載置しており、且つ接続線ＣＬと端子２０を直線的に接続するために、支持部材３０の第１のセクション３１および第２のセクション３２は、Ｘ−Ｙ平面に対して傾斜していてもよく、支持セクション３３（図３に示すように）の高さを、同じ支持部材３０が配置された第１の孔１４よりもわずかに低くする。言い換えれば、第１のセクション３１および第２のセクション３２は、係止面１１および第１の側壁１３に垂直な平面（Ｘ−Ｙ平面）に平行ではなく、即ち、第１のセクション３１および第２のセクション３２は両方とも、係止面１１に対して垂直ではない。本実施形態に示された支持部材３０の配置方法は一例に過ぎず、当業者は、接続線ＣＬの直径に応じて第１のセクション３１と平面との間の夾角を調整することができる。他のいくつかの実施形態では、第１のセクション３１および第２のセクション３２は、Ｘ−Ｙ平面に平行であってもよい（即ち、第１のセクション３１および第２のセクション３２は、係止面１１に対して垂直であってもよい）。
【００２９】
図５は、本開示のもう１つの実施形態による本体１０’の斜視図を示している。本実施形態に示される本体１０’は、図２〜図４に示される本体１０と同じ部分を含み、前記同じ部分は、同じ符号で示され、再度説明しない。本実施形態に示される本体１０’と図２〜図４に示される本体１０の異なるところは、本体１０’にはブラケット１７が配置されておらず、且つ第１の側壁１３および第２の側壁１５には複数の溝１８が形成されているところである。本実施形態では、第１の側壁１３および第２の側壁１５上に位置する溝１８は互いに対応する（即ち、対向する溝１８は同じまたは実質的に同じ高さに位置する）。
【００３０】
上述の溝１８は、第１の側壁１３の第１の孔１４および第２の側壁１５の第２の孔１６に延伸する。言い換えれば、第１側壁１３および第２側壁１５に垂直な方向から見たとき、溝１８は、第１の孔１４および第２の孔１６と重なっている。このようにして、支持部材３０の第１のセクション３１および第２のセクション３２の一部は、溝１８内に収容することができ、且つ支持部材３０は、第１の孔１４および第２の孔１６に配置することができる。本体１０’に溝１８を形成することにより、本体１０’の内部空間を有効に活用でき、支持機構１の製造工程を簡略化できる。
【００３１】
要約すると、本開示の実施形態は、接続線を保持するように配置された支持部材を有する支持機構を提供する。例えば、支持機構は、電子機器に配置することができる。電子部材によって電子機器に接続される接続線が支持され、接続線により生成された応力が係止面から支持部材に分散され、端子が応力を受けて変形するのを防ぎ、端子の損傷および端子の変形により生じる防水の問題も防止することができる。また、支持機構の本体にブラケットまたは溝を形成して、支持部材を本体により安定して配置することができる。
【００３２】
本開示及びそれらの利点の一部の実施形態が詳細に説明されてきたが、添付の請求の範囲によって定義されるように、本開示の精神および範囲を逸脱せずに、本明細書において種々の変更、置換、および代替ができることを理解すべきである。また、本出願の範囲は、本明細書中に述べられたプロセス、機械、製造、物質の組成、手段、方法、及びステップの特定の実施形態に限定されることを意図するものではない。当業者が本開示の開示から容易に理解するように、本明細書で述べられた対応する実施形態と、実質的に同様の機能を実行するか、または実質的に同様の結果を達成する、現存の、または後に開発される、開示、プロセス、機械、製造、物質の組成、手段、方法、またはステップが本開示に従って利用され得る。よって、添付の実用新案登録請求の範囲は、上述のプロセス、機械、製造、物質の組成、手段、方法、またはステップを含むように意図される。また、添付の実用新案登録請求の範囲は、全てのそのような変更および同様の配置を包含するように、最も広義な解釈が与えられるべきである。
【符号の説明】
【００３３】
１  支持機構
１０、１０’  本体
１１  係止面
１２  開口
１３  第１の側壁
１４  第１の孔
１５  第２の側壁
１６  第２の孔
１７  ブラケット
１８  溝
１９  底面
２０  端子
３０  支持部材
３１  第１のセクション
３２  第２のセクション
３３  支持セクション
ＣＬ  接続線
Ｅ  電子機器
【図１】
0003230949.tif 000003
【図２】
0003230949.tif 000004
【図３】
0003230949.tif 000005
【図４】
0003230949.tif 000006
【図５】
0003230949.tif 000007
【手続補正書】
【提出日】令和2年12月3日(2020.12.3)
【手続補正１】
【補正対象書類名】明細書
【補正対象項目名】０００８
【補正方法】変更
【補正の内容】
【０００８】
一実施形態では、支持部材は、第１のセクション、第２のセクション、および支持セクションを含む。第１のセクションは、第１の側壁に接続される。第２のセクションは、第２の側壁に接続される。支持セクションは、第１のセクションと第２のセクションの間に配置され、且つ第１のセクションおよび第２のセクションに接続され、端子または接続線は、前述の支持セクションに載置される。
【手続補正２】
【補正対象書類名】実用新案登録請求の範囲
【補正対象項目名】全文
【補正方法】変更
【補正の内容】
【実用新案登録請求の範囲】
【請求項１】
係止面、第１の側壁、および第２の側壁を有し、前記係止面は、前記第１の側壁と前記第２の側壁の間に接続され、前記第１の側壁と前記第２の側壁は前記係止面とは平行ではない本体、
前記係止面に固定され、接続線に接続された端子、および
前記第１の側壁および前記第２の側壁に接続され、且つ前記第１の側壁と前記第２の側壁から、前記係止面から離れる方向に延伸する支持部材を含む支持機構であって、
前記端子または前記接続線は、前記支持部材に載置される支持機構。
【請求項２】
前記第１の側壁に第１の孔が形成され、前記第２の側壁に第２の孔が形成され、且つ前記支持部材は、前記第１の孔および前記第２の孔に配置されることを特徴とする請求項１に記載の支持機構。
【請求項３】
複数の溝が前記第１の側壁および前記第２の側壁にそれぞれ形成され、且つ前記溝は、前記第１の孔および前記第２の孔のうちの一つに延伸することを特徴とする請求項２に記載の支持機構。
【請求項４】
前記本体は、前記第１の側壁および前記第２の側壁にそれぞれ配置された複数のブラケットをさらに含み、且つ前記支持部材は前記ブラケットに載置されることを特徴とする請求項１に記載の支持機構。
【請求項５】
前記ブラケットと前記本体は一体成型で形成されることを特徴とする請求項４に記載の支持機構。
【請求項６】
前記ブラケットは、着脱可能に前記第１の側壁および前記第２の側壁に配置されることを特徴とする請求項４に記載の支持機構。
【請求項７】
前記支持部材は、
前記第１の側壁に接続される第１のセクション、
前記第２の側壁に接続される第２のセクション、および
前記第１のセクションと前記第２のセクションの間に配置され、且つ前記第１のセクションおよび前記第２のセクションに接続される支持セクションを含み、
前記端子または前記接続線は、前記支持セクションに載置されることを特徴とする請求項１に記載の支持機構。
【請求項８】
前記支持セクションは、前記第１のセクションまたは前記第２のセクションに垂直に接続されることを特徴とする請求項７に記載の支持機構。
【請求項９】
前記第１のセクションおよび前記第２のセクションは、前記係止面に対して垂直ではないことを特徴とする請求項７に記載の支持機構。
【請求項１０】
前記係止面に開口が形成され、且つ前記端子が前記開口内に固定されることを特徴とする請求項１に記載の支持機構。